(57)【要約】【課題】フレキシブルフラットケーブルの端部がコネクタに対して斜めに挿入された場合でも発火等の重大事故が発生しない又は発生する可能性が極めて低い遊技機を提供する。【解決手段】電源端子とグランド端子とを含む複数の端子７５ａ〜７５ｊを備えるコネクタ７２に、フレキシブルフラットケーブル７１の端部に形成され且つ被覆が除去されて内部の導体８２ａ〜８２ｊが露出するコネクタ接続部８４を挿脱自在に挿入することにより、各端子７５ａ〜７５ｊの接触部７７を各導体８２ａ〜８２ｊに接触させて電気的に接続させた遊技機で、複数の端子７５ａ〜７５ｊのうち、各電源端子７５ｆ，７５ｈ及び各グランド端子７５ｊに夫々隣接する端子７５ｅ，７５ｇ，７５ｉを空き端子とし、コネクタ接続部８４は、それら空き端子に対応する導体８２ｅ，８２ｇ，８２ｉについては被覆状態のまま露出させず、それ以外の導体のみを露出させたものである。【選択図】図７
2012170738.tif 000002
【特許請求の範囲】
【請求項１】
１又は複数の電源端子と１又は複数のグランド端子とを含む複数の端子を備えるコネクタに、フレキシブルフラットケーブルの端部に形成され且つ被覆が除去されて内部の導体が露出するコネクタ接続部を挿脱自在に挿入することにより、前記各端子の接触部を前記導体に接触させて電気的に接続させた遊技機において、前記複数の端子のうち、前記各電源端子及び前記各グランド端子に夫々隣接する端子を空き端子とし、前記コネクタ接続部は、前記空き端子に対応する前記導体については被覆状態のまま露出させず、それ以外の前記導体のみを露出させたことを特徴とする遊技機。
【請求項２】
１又は複数の電源端子と１又は複数のグランド端子とを含む複数の端子を備えるコネクタに、フレキシブルフラットケーブルの端部に形成され且つ被覆が除去されて内部の導体が露出するコネクタ接続部を挿脱自在に挿入することにより、前記各端子の接触部を前記導体に接触させて電気的に接続させた遊技機において、前記複数の端子のうち、前記各電源端子及び前記各グランド端子に夫々隣接する端子を空き端子とし、前記空き端子又はそれら空き端子に隣接する隣接端子における前記接触部のケーブル挿脱方向長さを、前記隣接端子又は前記空き端子における前記接触部のケーブル挿脱方向長さよりも短くしたことを特徴とする遊技機。
【請求項３】
前記コネクタには前記フレキシブルフラットケーブルを挿入するための開口部が形成されており、前記各端子を、夫々の前記接触部の前記開口部側の端部を略揃えて配置したことを特徴とする請求項２に記載の遊技機。
【請求項４】
１又は複数の電源端子と１又は複数のグランド端子とを含む複数の端子を備えるコネクタに、フレキシブルフラットケーブルの端部に形成され且つ被覆が除去されて内部の導体が露出するコネクタ接続部を挿脱自在に挿入することにより、前記各端子の接触部を前記導体に接触させて電気的に接続させた遊技機において、前記複数の端子のうち、前記各電源端子及び前記各グランド端子に夫々隣接する端子を空き端子とし、前記空き端子に対応する前記導体又は前記空き端子に隣接する隣接端子に対応する前記導体の露出長さを、前記隣接端子に対応する前記導体又は前記空き端子に対応する前記導体の露出長さよりも短くしたことを特徴とする遊技機。
【発明の詳細な説明】
【技術分野】
【０００１】
本発明は、基板相互間、或いは基板と電子部品との間の接続にフレキシブルフラットケーブルが用いられている遊技機に関するものである。
【背景技術】
【０００２】
パチンコ機、スロットマシン等の遊技機では、各種基板やその他の電子部品が多数配置されており、それら基板相互間、或いは基板と電子部品との間の接続には、導体を並列に並べて帯状に形成したフラットケーブルが多用されている。このフラットケーブルには、被覆線を複数本並べて融着した、いわゆるすだれ型のフラットケーブルと、平型の導体を等間隔で複数本並べ、それらをまとめて両面側から絶縁シートで挟み込んで被覆した、いわゆるフレキシブルフラットケーブル（ＦＦＣ）とがある。
【０００３】
配線スペースに比較的余裕がある部分に関しては、最も一般的なすだれ型のフラットケーブルが今でも広く用いられているが、最近では、狭小部や可動部などを中心に、フレキシブルフラットケーブルの使用も増加している（例えば特許文献１）。
【０００４】
ところで、すだれ型のフラットケーブルとフレキシブルフラットケーブルとは、そのケーブル本体の構造だけでなく、基板等との接続部分の構造も相違している。即ち、すだれ型のフラットケーブルの場合には、基板側に雌型コネクタ等の基板側コネクタが、ケーブルの先端部に雄型コネクタ等のケーブル側コネクタが夫々装着されており、ケーブル側コネクタを基板側コネクタに嵌合させることにより、両コネクタ内の端子が互いに接触して電気的に接続されると共に、両コネクタが接続状態でロックされるようになっている。
【０００５】
一方、フレキシブルフラットケーブルの場合には、基板側には雌型コネクタ等の基板側コネクタが装着されているのに対し、ケーブル側に関してはコネクタが装着されておらず、ケーブルの端部を基板側コネクタ側の挿入口に直接挿入する構造となっている場合が多い。フレキシブルフラットケーブルの端部には、被覆が除去されて内部の導体を露出させたコネクタ接続部が形成されると共にその裏面側に補強シートが貼付されており、基板側コネクタに挿入されると、基板側コネクタ内の各端子が、ケーブル側のコネクタ接続部の各導体に直接的に接触して電気的に接続されると共に、その状態でケーブル端部が基板側コネクタに挟持されるようになっている。
【先行技術文献】
【特許文献】
【０００６】
【特許文献１】特開２０１０−２３４０２０号公報
【発明の概要】
【発明が解決しようとする課題】
【０００７】
すだれ型のフラットケーブルの場合には、上述したように基板側コネクタとケーブル側コネクタとが互いに嵌合すると共に両者が接続状態で確実にロックされるようになっているため、コネクタ同士を確実にロックさせれば接続不良が発生する可能性は低い。
【０００８】
一方、フレキシブルフラットケーブルの場合には、剛性の低い帯状のケーブル端部が基板側コネクタ側の挿入口に直接挿入され、基板側コネクタ内の端子がケーブル端部のコネクタ接続部の導体に直接接触して電気的に接続されるようになっているため、ケーブル端部の挿入不足や斜め挿入等により接続不良が発生しやすいという問題がある。特に斜め挿入の場合、例えば基板側コネクタ内に隣接して配置されている電源端子同士、或いは電源端子とグランド端子とがケーブル導体により短絡する可能性があり、発火等の重大事故の発生が懸念される。
【０００９】
本発明は上記事情に鑑みてなされたものであり、フレキシブルフラットケーブルの端部がコネクタに対して斜めに挿入された場合でも発火等の重大事故が発生しない又は発生する可能性が極めて低い遊技機を提供することを目的とする。
【課題を解決するための手段】
【００１０】
本発明は、１又は複数の電源端子７５ｆ，７５ｈと１又は複数のグランド端子７５ｊとを含む複数の端子７５ａ〜７５ｊを備えるコネクタ７２に、フレキシブルフラットケーブル７１の端部に形成され且つ被覆が除去されて内部の導体８２ａ〜８２ｊが露出するコネクタ接続部８４を挿脱自在に挿入することにより、前記各端子７５ａ〜７５ｊの接触部７７を前記導体８２ａ〜８２ｊに接触させて電気的に接続させた遊技機において、前記複数の端子７５ａ〜７５ｊのうち、前記各電源端子７５ｆ，７５ｈ及び前記各グランド端子７５ｊに夫々隣接する端子７５ｅ，７５ｇ，７５ｉを空き端子とし、前記コネクタ接続部８４は、前記空き端子７５ｅ，７５ｇ，７５ｉに対応する前記導体８２ｅ，８２ｇ，８２ｉについては被覆状態のまま露出させず、それ以外の前記導体８２ａ〜８２ｄ，８２ｆ，８２ｈ，８２ｊのみを露出させたものである。
【００１１】
また本発明は、１又は複数の電源端子７５ｆ，７５ｈと１又は複数のグランド端子７５ｊとを含む複数の端子７５ａ〜７５ｊを備えるコネクタ７２に、フレキシブルフラットケーブル７１の端部に形成され且つ被覆が除去されて内部の導体８２ａ〜８２ｊが露出するコネクタ接続部８４を挿脱自在に挿入することにより、前記各端子７５ａ〜７５ｊの接触部７７を前記導体８２ａ〜８２ｊに接触させて電気的に接続させた遊技機において、前記複数の端子７５ａ〜７５ｊのうち、前記各電源端子７５ｆ，７５ｈ及び前記各グランド端子７５ｊに夫々隣接する端子７５ｅ，７５ｇ，７５ｉを空き端子とし、前記空き端子７５ｅ，７５ｇ，７５ｉ又はそれら空き端子７５ｅ，７５ｇ，７５ｉに隣接する隣接端子７５ｄ，７５ｆ，７５ｈ，７５ｊにおける前記接触部７７のケーブル挿脱方向長さを、前記隣接端子７５ｄ，７５ｆ，７５ｈ，７５ｊ又は前記空き端子７５ｅ，７５ｇ，７５ｉにおける前記接触部７７のケーブル挿脱方向長さよりも短くしたものである。
【００１２】
また、前記コネクタ７２には前記フレキシブルフラットケーブル７１を挿入するための開口部７３ａが形成されており、前記各端子７５ａ〜７５ｊを、夫々の前記接触部７７の前記開口部７３ａ側の端部を略揃えて配置してもよい。
【００１３】
更に本発明は、１又は複数の電源端子７５ｆ，７５ｈと１又は複数のグランド端子７５ｊとを含む複数の端子７５ａ〜７５ｊを備えるコネクタ７２に、フレキシブルフラットケーブル７１の端部に形成され且つ被覆が除去されて内部の導体８２ａ〜８２ｊが露出するコネクタ接続部８４を挿脱自在に挿入することにより、前記各端子７５ａ〜７５ｊの接触部７７を前記導体８２ａ〜８２ｊに接触させて電気的に接続させた遊技機において、前記複数の端子７５ａ〜７５ｊのうち、前記各電源端子７５ｆ，７５ｈ及び前記各グランド端子７５ｊに夫々隣接する端子７５ｅ，７５ｇ，７５ｉを空き端子とし、前記空き端子７５ｅ，７５ｇ，７５ｉに対応する前記導体８２ｅ，８２ｇ，８２ｉ又はそれら空き端子７５ｅ，７５ｇ，７５ｉに隣接する隣接端子７５ｄ，７５ｆ，７５ｈ，７５ｊに対応する前記導体８２ｄ，８２ｆ，８２ｈ，８２ｊの露出長さを、前記隣接端子７５ｄ，７５ｆ，７５ｈ，７５ｊに対応する前記導体８２ｄ，８２ｆ，８２ｈ，８２ｊ又は前記空き端子端子７５ｅ，７５ｇ，７５ｉに対応する前記導体８２ｅ，８２ｇ，８２ｉの露出長さよりも短くしたものである。
【発明の効果】
【００１４】
本発明によれば、フレキシブルフラットケーブル７１の端部がコネクタ７２に対して斜めに挿入された場合でも発火等の重大事故が発生しないか又は発生する可能性を極めて低くできる。
【図面の簡単な説明】
【００１５】
【図１】本発明の第１の実施形態に係るパチンコ機の全体正面図である。
【図２】同パチンコ機のセンターケースの分解斜視図である。
【図３】同パチンコ機の可動ユニットの分解斜視図である。
【図４】同パチンコ機の基板側コネクタとフレキシブルフラットケーブルとの接続部分の分解斜視図である。
【図５】同パチンコ機の基板側コネクタの側面断面図である。
【図６】同パチンコ機の基板側コネクタの平面断面図である。
【図７】同パチンコ機の基板側コネクタとフレキシブルフラットケーブルとの接続部分の正面断面図である。
【図８】同パチンコ機の基板側コネクタにフレキシブルフラットケーブルを正しく挿入した場合の各端子と各導体との接続関係を示す説明図である。
【図９】同パチンコ機の基板側コネクタにフレキシブルフラットケーブルを斜めに挿入した場合の各端子と各導体との接続関係を示す説明図である。
【図１０】本発明の第２の実施形態に係るパチンコ機の基板側コネクタの平面断面図である。
【図１１】同パチンコ機の基板側コネクタとフレキシブルフラットケーブルとの接続部分の正面断面図である。
【図１２】同パチンコ機の基板側コネクタにフレキシブルフラットケーブルを正しく挿入した場合の各端子と各導体との接続関係を示す説明図である。
【図１３】同パチンコ機の基板側コネクタにフレキシブルフラットケーブルを斜めに挿入した場合の各端子と各導体との接続関係を示す説明図である。
【発明を実施するための形態】
【００１６】
以下、本発明の実施形態を図面に基づいて詳述する。図１〜図９は本発明をパチンコ機に採用した第１の実施形態を例示している。図１において、遊技機本体１は、矩形状の外枠２と、この外枠２の前側に開閉自在に枢着された前枠３とを備えている。前枠３の前側には、ガラス扉４と前面板５とが上下に配置され、前枠３に開閉自在に枢支されている。前面板５には、その前側に、発射手段（図示省略）に供給するための遊技球を貯留する貯留皿６、発射手段を作動させるための発射ハンドル７等が設けられている。
【００１７】
ガラス扉４の後側には、遊技盤１１が前枠３に対して例えば前側から着脱自在に装着されている。遊技盤１１の前面側には、発射手段から発射された遊技球を案内するガイドレール１２が環状に装着されると共に、そのガイドレール１２の内側の遊技領域１３にセンターケース１４、普通図柄始動手段１５、特別図柄始動手段１６、大入賞手段１７、普通入賞手段１８等の各種遊技部品が配置されている。
【００１８】
センターケース１４は、図１、図２に示すように、遊技盤１１の装着孔（図示省略）に対して前側から着脱自在に装着される前構造体２１と、液晶式その他の画像表示手段２２が装着され且つ前構造体２１に対応して遊技盤１１の裏側に着脱自在に装着される後構造体２３とを備えている。前構造体２１は、遊技盤１１の装着孔に沿って配置される装飾枠２４と、この装飾枠２４の下部側に沿って左右方向に配置され且つ入球口２５に入球した遊技球を自由に転動させて前側に落下させるステージ２６等を備えている。
【００１９】
後構造体２３は、前側が開放した略箱形に形成され且つその略中央に表示窓３１が形成された後ケース３２と、この後ケース３２の内側で且つ表示窓３１の上側に配置される可動ユニット３３とを備えており、前構造体２１の後側に対応するように遊技盤１１の裏側に装着されている。なお、後構造体２３は後ケース３２の前端側に一体に設けられた鍔状の固定部３４においてねじ止め等により遊技盤１１に固定されている。画像表示手段２２は、その表示画面２２ａを表示窓３１に一致させた状態で後ケース３２の背面側に着脱自在に固定されている。
【００２０】
可動ユニット３３は、図２、図３に示すように、演出体４１と、この演出体４１を前後方向の軸回りに回転可能に支持する可動支持部４２と、この可動支持部４２を左右方向に移動可能に支持する支持本体部４３と、可動支持部４２等を介して演出体４１を左右方向に駆動する水平駆動手段４４と、可動支持部４２及び演出体４１の左右方向への移動に伴って演出体４１を前後方向の軸回りに回転駆動する回転駆動機構４５とを備えている。
【００２１】
支持本体部４３は、図３に示すように、左右方向に水平に配置された前後一対のガイド軸４６と、これらガイド軸４６上に摺動自在に装着された移動台４７と、ガイド軸４６をその左右両端で支持する支持フレーム４８とを備え、この支持フレーム４８が、表示窓３１の上側で後ケース３２に着脱自在に固定されている。なお、この支持本体部４３は、その略全体が前構造体２１の装飾枠２４等によって前側から覆われており（図１参照）、遊技機本体１の正面からは見えないようになっている。
【００２２】
支持フレーム４８は略水平で且つ左右方向に長い略矩形状の上壁部４９と、この上壁部４９の前縁に沿って下向きに折り曲げられた前壁部５１と、上壁部４９の後縁に沿って上向きに折り曲げられた固定フランジ５３とを一体に備え、固定フランジ５３が後ケース３２に対してねじ止めされている。
【００２３】
移動台４７はガイド軸４６に沿って配置されたラック５５を有し、ガイド軸４６上に左右方向に摺動自在に設けられており、ラック５５に水平駆動手段４４の駆動ギヤ５６が噛合されている。水平駆動手段４４はステッピングモータにより構成され、その駆動軸５４に駆動ギヤ５６が固定されている。移動台４７は水平駆動手段４４の駆動により、ガイド軸４６の一端側の原点位置（図１の点線位置）と、ガイド軸４６の他端側の演出位置（図１の二点鎖線位置）との間で往復移動可能である。
【００２４】
支持フレーム４８には、その前壁部５１上に左右方向の開口部５９が形成され、この開口部５９内を左右方向に移動自在な固定基部５７を介して移動台４７に可動支持部４２が固定されている。また支持フレーム４８の上壁部４９上には基板支持部６１が固定され、この基板支持部６１の前面に上壁部４９と略直角に中継基板６２が固定されている。なお、中継基板６２は略水平に配置してもよい。
【００２５】
演出体４１は例えば略楕円形に形成され、その内部に発光基板６３に装着された多数のＬＥＤ６４が設けられている。この演出体４１は可動支持部４２の下端部に前後方向の軸を介して支持され、移動台４７の左右移動に連動して回転駆動機構４５により軸廻りに往復回転するようになっている。可動支持部４２は移動台４７に固定された支持ベース部６５と、支持ベース部６５から下方に垂下するアーム部６７とを備えている。
【００２６】
回転駆動機構４５は支持フレーム４８の前側に左右方向に形成されたカム部６８と、可動支持部４２に上下動自在に設けられ且つ移動台４７の左右移動に連動してカム部６８に追従して上下動するカムローラ６９とを有し、カムローラ６９の上下動に連動して演出体４１を回転させるようになっている。なお、演出体４１は例えば右側の原点位置に退避したときに略縦長状（図１に点線で示す）となり、演出位置のときに略横長状（図１に二点鎖線で示す）となる。
【００２７】
演出体４１内の発光基板６３と支持フレーム４８上の中継基板６２とは、扁平な帯状のフレキシブルフラットケーブル７１を介して電気的に接続されている。即ち、フレキシブルフラットケーブル７１は弾性を有し、両端が中継基板６２、発光基板６３に夫々接続され、中間が可動支持部４２の上端部に固定されている。フレキシブルフラットケーブル７１は中継基板６２と可動支持部４２の上端部間では移動台４７が左右移動し得るだけの余裕をもって上壁部４９上に左右方向に配置され、また可動支持部４２の上端部と発光基板６３間では演出体４１が回転し得るだけの余裕をもって可動支持部４２内に上下方向に配置されている。
【００２８】
中継基板６２には、フレキシブルフラットケーブル７１用の非ロック式の偏平な基板側コネクタ（コネクタ）７２を含む電子部品が装着されている。基板側コネクタ７２は、図４〜図７に示すように、フレキシブルフラットケーブル７１の端部を挿入可能な扁平状の挿入口７３が形成されたコネクタ本体７４と、このコネクタ本体７４に装着された複数、例えば１０個の接続端子（端子）７５ａ〜７５ｊとを備え、挿入口７３の開口部７３ａが例えば中継基板６２の板面に沿って可動支持部４２側に向くように中継基板６２上に装着されている。
【００２９】
なお、基板側コネクタ７２を、挿入口７３の開口部７３ａが可動支持部４２と反対側に向くように配置し、フレキシブルフラットケーブル７１を可動支持部４２側に向けて折り返すようにしてもよい。また、フレキシブルフラットケーブル７１を、例えば基板側コネクタ７２側の端部近傍においてケーブル押さえ部材により中継基板６２等に固定することが望ましい。
【００３０】
挿入口７３内には、例えばその片面側に、ケーブル挿脱方向の端子装着溝７６が、ケーブル幅方向に一定ピッチで複数形成されており、それら複数の端子装着溝７６内に接続端子７５ａ〜７５ｊが夫々配置されている。接続端子７５ａ〜７５ｊは、例えば金属製の細長板材を長手方向の複数箇所で折り曲げることにより所定形状に形成されており、その一端側がコネクタ本体７４の外側で中継基板６２上のプリントパターンに接続され、他端側に接触部７７が設けられている。
【００３１】
接触部７７は、接続端子７５ａ〜７５ｊの長手方向の一部が端子装着溝７６からその対向面７８側に突出する部分であり、ケーブル挿脱方向に一定長さで形成されている。なお、接触部７７は端子装着溝７６内へ退避する方向に弾性変形可能であり、フレキシブルフラットケーブル７１の端部が挿入口７３内に挿入されたとき、そのフレキシブルフラットケーブル７１をこの接触部７７と対向面７８とで挟持することにより保持するようになっている。なお、挿入口７３の開口部７３ａは例えば内細りのテーパ状に形成されており、フレキシブルフラットケーブル７１の端部を挿入口７３内にスムーズに案内するようになっている。
【００３２】
また、各接続端子７５ａ〜７５ｊは、例えば図７に示すような接続関係となっている。即ち、第１〜第４接続端子７５ａ〜７５ｄは、夫々「ＤＡＴＡ」「ＬＡＴＣＨ」「ＥＮＡＢＬＥ」「ＣＬＫ」の各信号ラインに接続される信号端子となっている。「ＤＡＴＡ」は、複数ビット分のシリアルデータで構成され、発光基板６３上の複数のＬＥＤ駆動回路に順次供給されるようになっており、それらＬＥＤ駆動回路において例えば「ＬＡＴＣＨ」を受けて必要な「ＤＡＴＡ」が取り込まれると共に、「ＥＮＡＢＬＥ」を受けて「ＬＡＴＣＨ」で保持された「ＤＡＴＡ」が出力され、これによって複数のＬＥＤ６４が発光制御されるようになっている。
【００３３】
また、第６接続端子７５ｆ，第８接続端子７５ｈは、夫々「ＤＣ５Ｖ」「ＤＣ１２Ｖ」の各電源ラインに接続される電源端子であり、第１０接続端子７５ｊは「ＧＮＤ」に接続されるグランド端子となっている。「ＤＣ５Ｖ」は例えばＬＥＤ駆動回路のドライバ駆動用に用いられ、「ＤＣ１２Ｖ」は例えばＬＥＤ６４の駆動用に用いられる。
【００３４】
更に、残りの第５接続端子７５ｅ，第７接続端子７５ｇ，第９接続端子７５ｉは、他のどの部分にも電気的に繋がっていない空き端子（ＮＣ）となっている。第５接続端子７５ｅは、「ＣＬＫ」に接続される第４接続端子７５ｄと「ＤＣ５Ｖ」に接続される第６接続端子７５ｆとの間に、第７接続端子７５ｇは、「ＤＣ５Ｖ」に接続される第６接続端子７５ｆと「ＤＣ１２Ｖ」に接続される第８接続端子７５ｈとの間に、第９接続端子７５ｉは、「ＤＣ１２Ｖ」に接続される第８接続端子７５ｈと「ＧＮＤ」に接続される第１０接続端子７５ｊとの間に夫々配置されている。即ち、電源端子７５ｆ，７５ｈ及びグランド端子７５ｊに隣接する３つの接続端子７５ｅ，７５ｇ，７５ｉが全て空き端子（ＮＣ）となっている。
【００３５】
以上のような基板側コネクタ７２に接続されるフレキシブルフラットケーブル７１は、図４、図７に示すように、絶縁ベースシート８１と、この絶縁ベースシート８１上に、基板側コネクタ７２側の接続端子７５ａ〜７５ｊと同じ一定ピッチで並列に並べられた複数、例えば１０本の導体８２ａ〜８２ｊと、これら複数の導体８２ａ〜８２ｊを挟んで絶縁ベースシート８１上に貼着された絶縁カバーフィルム８３とで構成されており、それら１０本の導体８２ａ〜８２ｊが、基板側コネクタ７２側の１０個の接続端子７５ａ〜７５ｊに夫々対応している。
【００３６】
また、フレキシブルフラットケーブル７１の端部には基板側コネクタ７２と電気的に接続するためのコネクタ接続部８４が形成されている。このコネクタ接続部８４では、絶縁カバーフィルム８３による被覆が除去されて内部の導体８２ａ〜８２ｊの一部が一定長さで露出している。本実施形態では、１０本の導体８２ａ〜８２ｊのうち、基板側コネクタ７２側の空き端子（ＮＣ）、即ち第５接続端子７５ｅ，第７接続端子７５ｇ，第９接続端子７５ｉに対応する導体８２ｅ，８２ｇ，８２ｉについては被覆状態のまま露出されず、それ以外の導体８２ａ〜８２ｄ，８２ｆ，８２ｈ，８２ｊに対応する被覆のみが除去されている。なお、フレキシブルフラットケーブル７１の端部には、コネクタ接続部８４に対応してその裏側に補強シート８５が貼着されている（図４）。
【００３７】
このフレキシブルフラットケーブル７１を基板側コネクタ７２に接続する場合には、フレキシブルフラットケーブル７１の端部を、コネクタ接続部８４側の面を基板側コネクタ７２の接続端子７５ａ〜７５ｊ側に向けた状態で基板側コネクタ７２の挿入口７３に真っ直ぐに挿入する。これにより、フレキシブルフラットケーブル７１の端部が、コネクタ接続部８４の位置で、基板側コネクタ７２側の接続端子７５ａ〜７５ｊと対向面７８との間で挟持された状態となる（図８）。
【００３８】
このとき、コネクタ接続部８４で露出されている導体８２ａ〜８２ｄ，８２ｆ，８２ｈ，８２ｊに対しては、対応する接続端子７５ａ〜７５ｄ，７５ｆ，７５ｈ，７５ｊの各接触部７７が接触して電気的に接続された状態となる。一方、コネクタ接続部８４で露出されていない導体８２ｅ，８２ｇ，８２ｉについては、対応する接続端子７５ｅ，７５ｇ，７５ｉの各接触部７７との間に絶縁カバーフィルム８３が存在するため、電気的に接続されることはないが、それら接続端子７５ｅ，７５ｇ，７５ｉは空き端子（ＮＣ）であるため、動作上何ら問題はない。
【００３９】
また、例えばフレキシブルフラットケーブル７１の端部が誤って基板側コネクタ７２の挿入口７３に斜めに挿入された場合、その角度がある程度大きい場合には、図９に示すように、フレキシブルフラットケーブル７１側の導体８２ａ〜８２ｊが、互いに隣り合う接続端子間に跨ってしまう可能性がある。しかしながら、本実施形態のパチンコ機では、基板側コネクタ７２の１０個の接続端子７５ａ〜７５ｊのうち、電源端子７５ｆ，７５ｈ及びグランド端子７５ｊに夫々隣接する３つの接続端子７５ｅ，７５ｇ，７５ｉが空き端子（ＮＣ）となっており、しかもフレキシブルフラットケーブル７１のコネクタ接続部８４は、それら空き端子７５ｅ，７５ｇ，７５ｉに対応する導体８２ｅ，８２ｇ，８２ｉについては被覆状態のまま露出させていないため、空き端子７５ｅ，７５ｇ，７５ｉと、それらの何れか一方に隣接する電源端子又はグランド端子との間では必ず絶縁状態が維持される。
【００４０】
図９の例では、ＤＣ１２Ｖの電源端子７５ｈと空き端子７５ｉとの間に導体８２ｈが、空き端子７５ｉとグランド端子７５ｊとの間に導体８２ｉが夫々斜めに跨っているが、導体８２ｉは被覆されているため、電源端子７５ｈと空き端子７５ｉとの間は導通されても、空き端子７５ｉとグランド端子７５ｊとの間は導通されない。即ち、空き端子７５ｉ等を挟んでその両側の端子、例えば電源端子７５ｈとグランド端子７５ｊとが短絡することはない。
【００４１】
以上のように、本実施形態のパチンコ機では、フレキシブルフラットケーブル７１の端部が誤って基板側コネクタ７２の挿入口７３に斜めに挿入された場合でも、正常動作はできないものの、電源端子とグランド端子の短絡等による発火等の重大事故の発生を未然に防止できる。
【００４２】
図１０〜図１３は本発明の第２の実施形態を例示している。この第２の実施形態は、図１０、図１１に示すように、基板側コネクタ７２の複数の接続端子７５ａ〜７５ｊのうち、各電源端子７５ｆ，７５ｈ及びグランド端子７５ｊに夫々隣接する接続端子７５ｅ，７５ｇ，７５ｉを空き端子とする点で第１の実施形態と共通するが、フレキシブルフラットケーブル７１のコネクタ接続部８４では全ての導体８２ａ〜８２ｊについて被覆を除去して露出させる一方、空き端子７５ｅ，７５ｇ，７５ｉにおける接触部７７の長さ（ケーブル挿脱方向長さ）を、それらに隣接する端子（隣接端子）よりも短くしている点で第１の実施形態と相違している。
【００４３】
本実施形態では、空き端子７５ｅ，７５ｇ，７５ｉだけでなく、接続端子７５ａ，７５ｃについても同様に接触部７７の長さを短くしており、接続端子７５ａ〜７５ｊの接触部７７が一つおきに短くなるように配置されている。また、このように接触部７７の長さが異なる各接続端子７５ａ〜７５ｊは、夫々の接触部７７の開口部７３ａ側の端部を略揃えて配置されている。
【００４４】
本実施形態において、フレキシブルフラットケーブル７１の端部が基板側コネクタ７２の挿入口７３に真っ直ぐに挿入された場合には、図１２に示すように、フレキシブルフラットケーブル７１側の全ての導体８２ａ〜８２ｊに対して、基板側コネクタ７２側の全ての接続端子７５ａ〜７５ｊの各接触部７７が夫々接触して正常に接続された状態となる。
【００４５】
一方、フレキシブルフラットケーブル７１の端部が誤って基板側コネクタ７２の挿入口７３に斜めに挿入された場合、その角度がある程度大きければ、図１３に示すように、空き端子以外の接続端子同士が互いに隣り合っている部分についてはフレキシブルフラットケーブル７１側の導体８２ａ等によって短絡されてしまう。しかしながら、空き端子７５ｅ，７５ｇ，７５ｉはその他の接続端子７５ａ〜７５ｄ，７５ｆ，７５ｈ，７５ｊよりも接触部７７の長さが短いため、フレキシブルフラットケーブル７１の挿入角度が更に極端に大きくならない限り、空き端子７５ｅ，７５ｇ，７５ｉと、それらの何れか一方に隣接する電源端子又はグランド端子との間では必ず絶縁状態が維持される。
【００４６】
図１３の例では、空き端子７５ｉの接触部７７は、その両側の電源端子７５ｈ及びグランド端子７５ｊよりも接触部７７が短いため、導体８２ｉとは接触しているがその隣の導体８２ｈとは接触していない。従って、空き端子７５ｉとグランド端子７５ｊとの間はそれらに跨る導体８２ｉによって導通されるが、空き端子７５ｉとＤＣ１２Ｖの電源端子７５ｈとの間は導通されない。即ち、空き端子７５ｉ等を挟んでその両側の端子、例えば電源端子７５ｈとグランド端子７５ｊとが短絡することはない。
【００４７】
以上のように、本実施形態のパチンコ機についても、第１の実施形態と同様、フレキシブルフラットケーブル７１の端部が誤って基板側コネクタ７２の挿入口７３に斜めに挿入された場合でも、正常動作はできないものの、電源端子とグランド端子の短絡等による発火等の重大事故の発生を未然に防止できる。
【００４８】
以上、本発明の各実施形態について詳述したが、本発明はこれらの実施形態に限定されるものではなく、本発明の趣旨を逸脱しない範囲で種々の変更が可能である。例えば、第２の実施形態では、空き端子７５ｅ，７５ｇ，７５ｉにおける接触部７７の長さ（ケーブル挿脱方向長さ）を、それらに隣接する接続端子よりも短くしたが、逆に、空き端子７５ｅ，７５ｇ，７５ｉに隣接する接続端子（隣接端子）７５ｄ，７５ｆ，７５ｈ，７５ｊにおける接触部７７の長さ（ケーブル挿脱方向長さ）を空き端子７５ｅ，７５ｇ，７５ｉよりも短くしてもよい。
【００４９】
空き端子７５ｅ，７５ｇ，７５ｉのみを、その他の接続端子７５ａ〜７５ｄ，７５ｆ，７５ｈ，７５ｊよりも短くしてもよい。これにより、空き端子以外の接続端子７５ａ〜７５ｄ，７５ｆ，７５ｈ，７５ｊについては、導体８２ａ〜８２ｄ，８２ｆ，８２ｈ，８２ｊとの確実な接続を確保しつつ、フレキシブルフラットケーブル７１が斜めに挿入された場合の重大事故を未然に防止できる。
【００５０】
また、接続端子７５ａ〜７５ｊの接触部７７の長さは一定とし、空き端子７５ｅ，７５ｇ，７５ｉに対応する導体８２ｅ，８２ｇ，８２ｉの露出長さを、空き端子７５ｅ，７５ｇ，７５ｉに隣接する接続端子（隣接端子）７５ｄ，７５ｆ，７５ｈ，７５ｊに対応する導体８２ｄ，８２ｆ，８２ｈ，８２ｊの露出長さよりも短くしてもよいし、逆に、空き端子に隣接する接続端子（隣接端子）７５ｄ，７５ｆ，７５ｈ，７５ｊに対応する導体８２ｄ，８２ｆ，８２ｈ，８２ｊの露出長さを、空き端子７５ｅ，７５ｇ，７５ｉに対応する導体８２ｅ，８２ｇ，８２ｉの露出長さよりも短くしてもよい。
【００５１】
コネクタの端子数、各端子の配置等は任意である。また、コネクタの装着位置は中継基板以外の例えば演出制御基板等であっても同様である。更に実施形態ではパチンコ機について例示したが、アレンジボール機、雀球遊技機等の他の弾球遊技機はもちろん、スロットマシン等の弾球遊技機以外の各種遊技機でも同様に実施可能であることはいうまでもない。
【符号の説明】
【００５２】
７１      フレキシブルフラットケーブル
７２      基板側コネクタ（コネクタ）
７３ａ    開口部
７５ａ〜
７５ｄ    信号端子（接続端子）
７５ｅ    空き端子（接続端子）
７５ｆ    電源端子（接続端子）
７５ｇ    空き端子（接続端子）
７５ｈ    電源端子（接続端子）
７５ｉ    空き端子（接続端子）
７５ｊ    グランド端子（接続端子）
７７      接触部
８２ａ〜
８２ｊ    導体
８４      コネクタ接続部
【図１】
2012170738.tif 000003
【図２】
2012170738.tif 000004
【図３】
2012170738.tif 000005
【図４】
2012170738.tif 000006
【図５】
2012170738.tif 000007
【図６】
2012170738.tif 000008
【図７】
2012170738.tif 000009
【図８】
2012170738.tif 000010
【図９】
2012170738.tif 000011
【図１０】
2012170738.tif 000012
【図１１】
2012170738.tif 000013
【図１２】
2012170738.tif 000014
【図１３】
2012170738.tif 000015